(57)【要約】【課題】鉄筋を挿通した後の各鉄筋挿通孔にグラウト材を能率良く注入するにあたって、硬化したグラウト材中に気泡が生じ難いようにする。【解決手段】複数の鉄筋挿通孔１が上下に並設されるように設置してあるプレキャストコンクリート部材Ａの複数の鉄筋挿通孔の夫々に、鉄筋１４を挿通した状態で、グラウト材Ｇを注入するグラウト材注入方法であって、複数の鉄筋挿通孔どうしを下位の鉄筋挿通孔から上位の鉄筋挿通孔に順に連通する連通路５を設け、グラウト注入路７を最下位の鉄筋挿通孔に連通させるとともに、空気抜き路９を最上位の鉄筋挿通孔に連通させて、グラウト注入路からグラウト材を注入する。【選択図】図７
2007284954.tif 000002
【特許請求の範囲】
【請求項１】
複数の鉄筋挿通孔が上下に並設されるように設置してあるプレキャストコンクリート部材の前記複数の鉄筋挿通孔の夫々に、鉄筋を挿通した状態で、グラウト材を注入するグラウト材注入方法であって、
前記複数の鉄筋挿通孔どうしを下位の鉄筋挿通孔から上位の鉄筋挿通孔に順に連通する連通路を設け、
グラウト注入路を最下位の鉄筋挿通孔に連通させるとともに、空気抜き路を最上位の鉄筋挿通孔に連通させて、
前記グラウト注入路からグラウト材を注入するグラウト材注入方法。
【請求項２】
前記複数の鉄筋挿通孔を、上下方向で複数の鉄筋挿通孔からなる組み合わせを複数組に分けて、
各組み合わせの複数の鉄筋挿通孔毎に、
前記複数の鉄筋挿通孔どうしを下位の鉄筋挿通孔から上位の鉄筋挿通孔に順に連通する連通路を設け、グラウト注入路を最下位の鉄筋挿通孔に連通させるとともに、空気抜き路を最上位の鉄筋挿通孔に連通させて、前記グラウト注入路からグラウト材を注入する請求項１記載のグラウト材注入方法。
【請求項３】
前記プレキャストコンクリート部材と、そのプレキャストコンクリート部材に水平方向で隣り合うプレキャストコンクリート部材とを、前記複数の鉄筋挿通孔の各々に挿通した鉄筋で接続し、
前記隣り合うプレキャストコンクリート部材どうしが対向している目地部を、前記連通路又は前記グラウト注入路又は空気抜き路として使用する請求項１又は２記載のグラウト材注入方法。
【発明の詳細な説明】
【技術分野】
【０００１】
本発明は、複数の鉄筋挿通孔が上下に並設されるように設置してあるプレキャストコンクリート部材の前記複数の鉄筋挿通孔の夫々に、鉄筋を挿通した状態で、グラウト材を注入するグラウト材注入方法に関する。
【背景技術】
【０００２】
従来のグラウト材注入方法では、複数の鉄筋挿通孔が上下に並設されるように設置してあるプレキャストコンクリート部材において、鉄筋を挿通した後の各鉄筋挿通孔にグラウト材を能率良く注入できるように、グラウト注入路を上位の鉄筋挿通孔に連通させておき、上下に並設してある複数の鉄筋挿通孔どうしを、グラウト注入路に連通してある上位の鉄筋挿通孔から順に一連に連通する連通路を設けておくとともに、連通路で連通される最終位置の鉄筋挿通孔に空気抜き路を連通させておいて、一つのグラウト注入路から注入したグラウト材を各鉄筋挿通孔に順に流入させながら、最終位置の鉄筋挿通孔に連通してある空気抜き路から空気を抜いている（例えば、特許文献１参照）。
【０００３】
【特許文献１】特許第３０７２５３４号公報
【発明の開示】
【発明が解決しようとする課題】
【０００４】
しかしながら、グラウト注入路を上位の鉄筋挿通孔に連通させて、上下に並設してある複数の鉄筋挿通孔どうしを、グラウト注入路に連通させてある上位の鉄筋挿通孔から順に一連に連通する連通路を設けてあるので、グラウト注入方向で上流側の鉄筋挿通孔を通過したグラウト材が、下流側の鉄筋挿通孔に対して下向きに流入する連通路が存在することになり、この連通路を通して、空気がグラウト材注入済みの上流側の鉄筋挿通孔に入り込んで、硬化したグラウト材中に気泡が生じ易い欠点がある。
本発明は上記実情に鑑みてなされたものであって、鉄筋を挿通した後の各鉄筋挿通孔にグラウト材を能率良く注入するにあたって、硬化したグラウト材中に気泡が生じ難いようにすることを目的とする。
【課題を解決するための手段】
【０００５】
本発明の第１特徴構成は、複数の鉄筋挿通孔が上下に並設されるように設置してあるプレキャストコンクリート部材の前記複数の鉄筋挿通孔の夫々に、鉄筋を挿通した状態で、グラウト材を注入するグラウト材注入方法であって、前記複数の鉄筋挿通孔どうしを下位の鉄筋挿通孔から上位の鉄筋挿通孔に順に連通する連通路を設け、グラウト注入路を最下位の鉄筋挿通孔に連通させるとともに、空気抜き路を最上位の鉄筋挿通孔に連通させて、前記グラウト注入路からグラウト材を注入する点にある。
【０００６】
〔作用及び効果〕
複数の鉄筋挿通孔どうしを下位の鉄筋挿通孔から上位の鉄筋挿通孔に順に連通する連通路を設け、グラウト注入路を最下位の鉄筋挿通孔に連通させるとともに、空気抜き路を最上位の鉄筋挿通孔に連通させて、グラウト注入路からグラウト材を注入するので、鉄筋を挿通した後の各鉄筋挿通孔にグラウト材を能率良く注入するにあたって、グラウト注入路から注入したグラウト材が、いずれの連通路においてもグラウト注入方向で下流側の鉄筋挿通孔に対して上向きに流入し、同時に、グラウト材が未注入の鉄筋挿通孔を通して、空気が空気抜き路に向けて上方に押し出される。
従って、グラウト材注入済みの鉄筋挿通孔に空気が入り込み難くなり、硬化したグラウト材中に気泡が生じ難い。
【０００７】
本発明の第２特徴構成は、前記複数の鉄筋挿通孔を、上下方向で複数の鉄筋挿通孔からなる組み合わせを複数組に分けて、各組み合わせの複数の鉄筋挿通孔毎に、前記複数の鉄筋挿通孔どうしを下位の鉄筋挿通孔から上位の鉄筋挿通孔に順に連通する連通路を設け、グラウト注入路を最下位の鉄筋挿通孔に連通させるとともに、空気抜き路を最上位の鉄筋挿通孔に連通させて、前記グラウト注入路からグラウト材を注入する点にある。
【０００８】
〔作用及び効果〕
複数の鉄筋挿通孔を、上下方向で複数の鉄筋挿通孔からなる組み合わせを複数組に分けて、各組み合わせの複数の鉄筋挿通孔毎に、複数の鉄筋挿通孔どうしを下位の鉄筋挿通孔から上位の鉄筋挿通孔に順に連通する連通路を設けるので、複数の鉄筋挿通孔を上下方向で複数の鉄筋挿通孔からなる組み合わせを複数組に分けずに、全部の鉄筋挿通孔を多数の連通路で順に連通する場合に比べて、グラウト材の流入経路の長さを短縮することができる。
そして、各組み合わせの複数の鉄筋挿通孔毎に、グラウト注入路を最下位の鉄筋挿通孔に連通させるとともに、空気抜き路を最上位の鉄筋挿通孔に連通させて、グラウト注入路からグラウト材を注入するので、各組み合わせの複数の鉄筋挿通孔毎に、グラウト材を小さな流入抵抗で、かつ、短い時間で各鉄筋挿通孔に容易に流入させることができる。
【０００９】
本発明の第３特徴構成は、前記プレキャストコンクリート部材と、そのプレキャストコンクリート部材に水平方向で隣り合うプレキャストコンクリート部材とを、前記複数の鉄筋挿通孔の各々に挿通した鉄筋で接続し、前記隣り合うプレキャストコンクリート部材どうしが対向している目地部を、前記連通路又は前記グラウト注入路又は空気抜き路として使用する点にある。
【００１０】
〔作用及び効果〕
プレキャストコンクリート部材と、そのプレキャストコンクリート部材に水平方向で隣り合うプレキャストコンクリート部材とを、複数の鉄筋挿通孔の各々に挿通した鉄筋で接続し、隣り合うプレキャストコンクリート部材どうしが対向している目地部を、連通路又はグラウト注入路又は空気抜き路として使用するので、連通路又はグラウト注入路又は空気抜き路をプレキャストコンクリート部材に設ける手間を省ける。
【発明を実施するための最良の形態】
【００１１】
以下に本発明の実施の形態を図面に基づいて説明する。
〔第１実施形態〕
図１〜図３は、複数の鉄筋挿通孔１を設けてあるプレキャストコンクリート部材Ａとしてのプレキャストコンクリート製柱部材２と、プレキャストコンクリート製梁部材３とを示し、図４は、本発明によるグラウト材注入方法で各鉄筋挿通孔１にグラウト材Ｇを注入して、柱部材２の左右両側に水平方向から隣り合う梁部材３を連結してある柱・梁連結構造を示している。
【００１２】
前記柱部材２は正四角柱状に形成してあり、図１〜図３に示すように、鉄筋挿通孔１を形成する複数のシース管４と、鉄筋挿通孔１どうしを径方向から連通する連通路５を形成する接続管６と、各鉄筋挿通孔１にグラウト材Ｇを注入するためのグラウト注入路７を形成するグラウト注入管８と、グラウト材Ｇの注入時に各鉄筋挿通孔１内の空気を外部に押し出すための空気抜き路９を形成する空気抜き管１０とを埋設固定し、設置状態で上方の柱部材に連結するための柱鉄筋１１を柱上端面１２から突出させてある。
【００１３】
前記複数のシース管４は、互いに平行な二つの柱側面１３に亘って互いに略平行に埋設固定して、複数の鉄筋挿通孔１を、後述する梁鉄筋１４を水平方向から挿通できるように、設置状態で上下左右に並ぶように貫通形成してある。
【００１４】
前記連通路５は、複数の鉄筋挿通孔１どうしが設置状態で下位の鉄筋挿通孔１から上位の鉄筋挿通孔１に順に連通するように設けてあり、グラウト注入路７を設置状態で最下位の鉄筋挿通孔１に連通するように設け、空気抜き路９を設置状態で最上位の鉄筋挿通孔１に連通するように設けて、グラウト注入路７と空気抜き路９とを設置状態で柱上端面１２に開口させてある。
【００１５】
前記梁部材３は柱部材２よりも小径又は略同径の正四角柱状に形成してあり、図４に示すように、鉄筋接続用の継手部材１５を一端側に固定してある梁鉄筋１４の複数を互いに平行に埋設固定して、各継手部材１５の鉄筋接続口１６を設置状態で上下左右に並ぶように一方の梁端面１７に臨ませてあるとともに、各梁鉄筋１４の他端側を設置状態で上下左右に並ぶように他方の梁端面１８から略直角に突出させてある。
【００１６】
そして、図５に示すように、柱部材２を鉄筋挿通孔１が上下に並設されるように設置し、図６にも示すように、一方の梁部材３（３ａ）の梁端面１７と柱側面１３との目地部の周縁部に沿って上向きコの字状に目地材１９を挟み込んで、目地材１９の内側に上向きに開口する目地空間２０を形成した状態で、各継手部材１５の鉄筋接続口１６が柱部材２の鉄筋挿通孔１に同芯状に対向するように、一方の梁部材３（３ａ）を位置決めしておく。
【００１７】
次に、図７に示すように、他方の梁部材３（３ｂ）の梁端面１８と柱側面１３との目地部にも、図６で示したと同様に、その周縁部に沿って上向きコの字状に目地材１９を挟み込んで、目地材１９の内側に上向きに開口する目地空間２０を形成した状態で、その梁端面１８から突出している各梁鉄筋１４を柱部材２の鉄筋挿通孔１に挿通するとともに、鉄筋接続口１６から継手部材１５に入り込ませて一体に接続して、柱部材２を挟んで、梁部材３（３ａ，３ｂ）どうしを連結した後、グラウト注入路７から各鉄筋挿通孔１と空気抜き路９とに亘ってグラウト材Ｇを注入して硬化させてある。
この場合、各継手部材１５の内側も下方から順次グラウト材Ｇが充填される。
【００１８】
〔第２実施形態〕
図８は本発明によるグラウト材注入方法の別実施形態を示し、柱部材２に形成してある複数の鉄筋挿通孔１を設置状態で、上下方向で複数の鉄筋挿通孔１からなる組み合わせを複数の組（本実施形態では４組）に分けて、各組み合わせの複数の鉄筋挿通孔１毎に、複数の鉄筋挿通孔１どうしを設置状態で下位の鉄筋挿通孔１から上位の鉄筋挿通孔１に順に連通する連通路５を設け、グラウト注入路７を最下位の鉄筋挿通孔１に連通させるとともに、空気抜き路９を最上位の鉄筋挿通孔１に連通させて、各組み合わせの複数の鉄筋挿通孔１毎にグラウト注入路７からグラウト材Ｇを注入して硬化させてある。また、各継手部材１５の内側も下方から順次グラウト材Ｇが充填される。
その他の構成は第１実施形態と同様である。
【００１９】
〔第３実施形態〕
図９〜図１１は、連通路５とグラウト注入路７と空気抜き路９とを柱部材２に設けずに、各梁部材３と柱部材２とが対向している目地部を、連通路５とグラウト注入路７及び空気抜き路９として夫々使用する本発明によるグラウト材注入方法の別実施形態を示し、図９，図１１に示すように、一方の梁部材３（３ａ）の梁端面１７と柱側面１３との目地部の周縁部に沿って上向きコの字状に目地材１９を挟み込んで、目地材１９の内側に上向きに開口する目地空間２０を形成した状態で、各継手部材１５の鉄筋接続口１６が柱部材２の鉄筋挿通孔１に同芯状に対向するように一方の梁部材３（３ａ）を位置決めしておく。
【００２０】
次に、図１０，図１１に示すように、他方の梁部材３（３ｂ）の梁端面１８と柱側面１３との目地部の周縁部に沿って上向きコの字状に目地材１９を挟み込んで、目地材１９の内側に上向きに開口する目地空間２０を形成した状態で、その梁端面１８から突出している各梁鉄筋１４を柱部材２の鉄筋挿通孔１に挿通するとともに、鉄筋接続口１６から継手部材１５に入り込ませて一体に接続して、水平方向で隣り合う梁部材３と柱部材２とを連結する。
【００２１】
そして、各目地空間２０を連通路５として使用するとともに、一方の目地空間２０をグラウト注入路７に兼用し、他方の目地空間２０を空気抜き路９に兼用して、一方の目地空間２０の上部開口から各鉄筋挿通孔１と各目地空間２０とに亘ってグラウト材Ｇを注入して硬化させてある。また、各継手部材１５の内側も下方から順次グラウト材Ｇが充填される。
その他の構成は第１実施形態と同様である。
【００２２】
〔その他の実施形態〕
１．本発明によるグラウト材注入方法は、単独のプレキャストコンクリート部材に設けてある複数の鉄筋挿通孔の各々に鉄筋を挿通した後、それらの鉄筋挿通孔にグラウト材を注入するために使用しても良い。
２．本発明によるグラウト材注入方法は、複数の鉄筋挿通孔の各々にプレストレスを作用させるための鉄筋を挿通した後、それらの鉄筋挿通孔にグラウト材を注入するために使用しても良い。
３．本発明によるグラウト材注入方法は、水平方向で隣り合うプレキャストコンクリート部材どうしが対向している目地部を、連通路として使用して、グラウト注入路と空気抜き路とをプレキャストコンクリート部材に設けてあっても良い。
４．本発明によるグラウト材注入方法は、水平方向で隣り合うプレキャストコンクリート部材どうしが対向している目地部を、連通路及び空気抜き路として使用して、グラウト注入路をプレキャストコンクリート部材に設けてあっても良い。
も良い。
５．本発明によるグラウト材注入方法は、水平方向で隣り合うプレキャストコンクリート部材どうしが対向している目地部を、グラウト注入路及び連通路として使用して、空気抜き路をプレキャストコンクリート部材に設けてあっても良い。
【図面の簡単な説明】
【００２３】
【図１】柱部材の一部断面側面図
【図２】図１のII−II線矢視断面図
【図３】図１のIII −III 線矢視断面図
【図４】（イ）梁部材の縦断面図，（ロ）梁部材の端面図
【図５】グラウト材注入方法の説明図
【図６】グラウト材注入方法の説明図
【図７】グラウト材注入方法の説明図
【図８】第２実施形態のグラウト材注入方法の説明図
【図９】第３実施形態のグラウト材注入方法の説明図
【図１０】第３実施形態のグラウト材注入方法の説明図
【図１１】図１０のＸＩ−ＸＩ線矢視図
【符号の説明】
【００２４】
１  鉄筋挿通孔
５  連通路
７  グラウト注入路
９  空気抜き路
１４  鉄筋
Ａ  プレキャストコンクリート部材
Ｇ  グラウト材
【図１】
2007284954.tif 000003
【図２】
2007284954.tif 000004
【図３】
2007284954.tif 000005
【図４】
2007284954.tif 000006
【図５】
2007284954.tif 000007
【図６】
2007284954.tif 000008
【図７】
2007284954.tif 000009
【図８】
2007284954.tif 000010
【図９】
2007284954.tif 000011
【図１０】
2007284954.tif 000012
【図１１】
2007284954.tif 000013